(57)【特許請求の範囲】
【請求項１】
少なくとも１つのアクスル部（２２、４２）と、前記少なくとも１つのアクスル部（２２、４２）に取り付けられるクランクアーム（２１、４１）とを有しており、前記クランクアーム（２１、４１）が結合座（２３）を有するとともに、前記アクスル部（２２、４２）が前記結合座（２３）へと結合する結合部（２４）を有しており、前記結合座（２３）および前記結合部（２４）が、前記クランクアーム（２１、４１）から前記アクスル部（２２、４２）にトルクを伝達できることを保証する形状による結合をなすように形作られ、接着材料が、前記結合座（２３）と前記結合部（２４）との間に設けられている自転車のクランクアーム・アセンブリ（２０、４０）であって、
前記接着材料が、前記結合座（２３）と前記結合部（２４）との少なくとも１つに形成された接着室（３０、３１；３１’、３１’’）に設けられ、
前記結合座（２３）が、軸方向に前記アクスル部（２２、４２）を支持するための肩部（２８）を有し、
前記接着室が、前記クランクアーム（２１、４１）の前記結合座（２３）において肩部（２８）に隣接した位置に形成された環状の溝（３１）、および前記アクスル部（２２、４２）の前記結合部（２４）において前記環状の溝（３１）に対向する位置に形成された環状の溝（３１’）を有していることを特徴とするアセンブリ。
【請求項２】
請求項１において、前記肩部（２８）が、軸方向に前記結合座（２３）を完全に閉じているアセンブリ。
【請求項３】
請求項１において、前記接着材料（５０）が、前記結合部（２４）を前記結合座（２３）へと完全に封じているアセンブリ。
【請求項４】
請求項１において、前記接着材料（５０）が、前記接着室（３０、３１；３１’、３１’’）、および前記結合座（２３）と前記結合部（２４）との間の残りの空間（５１）の少なくとも一部分の両者に存在しているアセンブリ。
【請求項５】
請求項１において、前記環状の溝（３１；３１’）が、軸方向でボトムブラケット・アセンブリ（１０）の中心（Ｋ）に対して遠隔位置に位置しているアセンブリ。
【請求項６】
請求項１において、前記接着室が、前記結合部（２４）そのものの先細りの前方領域（２９）によって前記結合座（２３）と前記結合部（２４）との間に残される空き空間（３０）を有しているアセンブリ。
【請求項７】
請求項６において、前記先細りの前方領域（２９）が、前記結合部（２４）の軸方向の広がりの１／３以下の軸方向の広がりを有しているアセンブリ。
【請求項８】
請求項６において、前記先細りの前方領域（２９）が、２〜５ｍｍである軸方向の広がりを有しているアセンブリ。
【請求項９】
請求項１において、前記接着材料（５０）が硬化性樹脂であるアセンブリ。
【請求項１０】
請求項９において、前記硬化性樹脂（５０）が、エポキシまたはフェノール樹脂などの熱硬化性樹脂であるアセンブリ。
【請求項１１】
請求項１において、前記クランクアーム（２１、４１）と前記アクスル部（２２、４２）とが係合したままであるように結合を保証するための固定手段をさらに有しており、前記固定手段が前記接着材料（５０）を含んでいるアセンブリ。
【請求項１２】
請求項１１において、前記固定手段が、さらに、前記アクスル部（２２、４２）の結合部（２４）を前記クランクアーム（２１、４１）の前記結合座（２３）内へ機械的に押し込む押込力を有しているアセンブリ。
【請求項１３】
請求項１において、前記結合座（２３）が、少なくとも１つの切削屑脱離用溝（３１’’’）を有しているアセンブリ。
【請求項１４】
請求項１３において、前記結合座が溝付きの輪郭（２５）を有しており、切削屑脱離用溝（３１’’’）が、前記溝付きの輪郭（２５）の溝よりも深いアセンブリ。
【請求項１５】
請求項１３において、前記結合座が、前記クランクアーム（２１）の外側側壁（６０）と軸方向に前記アクスル部（２２、４２）を支持する前記肩部（２８）との間に延在しており、前記切削屑脱離用溝（３１’’’）が、前記外側側壁（６０）よりも前記肩部（２８）により接近しているアセンブリ。
【請求項１６】
請求項１５において、前記切削屑脱離用溝（３１’’’）と前記肩部（２８）との間の距離が、１〜１５ｍｍであるアセンブリ。
【請求項１７】
クランクアーム（２１、４１）からアクスル部（２２、４２）にトルクを伝達できることを保証するため、前記クランクアーム（２１、４１）と前記アクスル部（２２、４２）との間に形状による結合を有している自転車の変速機のボトムブラケット・アセンブリ（１０）において、前記クランクアーム（２１、４１）を前記アクスル部（２２、４２）へと組み付けるために、前記クランクアーム（２１、４１）と前記アクスル部（２２、４２）との少なくとも１つに形成された接着室（３０、３１；３１’、３１’’）に接着材料（５０）を塗布する方法であって、
前記クランクアーム（２１、４１）が結合座（２３）を有するとともに、前記アクスル部（２２、４２）が前記結合座（２３）へと結合する結合部（２４）を有し、前記結合座（２３）が、軸方向に前記アクスル部（２２、４２）を支持するための肩部（２８）を有し、前記クランクアーム（２１、４１）の前記結合座（２３）において肩部（２８）に隣接した位置に形成された環状の溝（３１）、および前記アクスル部（２２、４２）の前記結合部（２４）において前記環状の溝（３１）に対向する位置に形成された環状の溝（３１’）を有している前記接着室に前記接着材料（５０）を塗布することを特徴とする方法。
【請求項１８】
請求項１７において、前記接着材料（５０）が、前記クランクアーム（２１、４１）と前記アクスル部（２２、４２）とが係合される前に、前記クランクアーム（２１、４１）および前記アクスル部（２２、４２）の一方に塗布され、その後に前記クランクアーム（２１、４１）および前記アクスル部（２２、４２）が軸方向に押し合わされる方法。
【請求項１９】
請求項１７において、前記接着材料（５０）が硬化性樹脂である方法。
【請求項２０】
請求項１９において、前記硬化性樹脂（５０）が、エポキシまたはフェノール樹脂などの熱硬化性樹脂である方法。
【請求項２１】
請求項１７において、少なくとも１つの切削屑脱離用溝（３１’’’）が結合座（２３）に形成される方法。
【請求項２２】
請求項２１において、溝付きの輪郭が、前記結合座（２３）で機械加工作業によって形成される方法。
【請求項２３】
請求項２２において、前記機械加工作業がブローチ加工作業である方法。
【請求項２４】
長手軸と、アクスル部（２２、４２）にトルクを伝達する形状付きの輪郭とを有している結合座（２３）を有している自転車のクランクアーム（２１、４１）であって、
前記結合座が、前記長手軸と平行な方向に前記結合座を少なくとも部分的に閉じる肩部（２８）を備え、また前記結合座が切削屑脱離用溝を有している自転車のクランクアーム（２１、４１）。
【請求項２５】
請求項２４において、前記形状付きの輪郭が溝付きの輪郭であり、前記切削屑脱離用溝が溝付きの輪郭の溝よりも深い自転車のクランクアーム。
【発明の詳細な説明】
【技術分野】
【０００１】
本発明は、自転車のクランクアーム・アセンブリに関し、すなわち自転車の変速機のボトムブラケット・アセンブリの構成部品からなるアセンブリであって、クランクアームとクランクアームが取り付けられる少なくとも１つの中央アクスル部とを含むアセンブリに関する。さらに、本発明は、そのようなアセンブリを組み立てるための方法に関する。
【背景技術】
【０００２】
自転車の変速機の中央アクスルおよびクランクアームに関して、「結合」とは、アクスルとクランクアームとの間の相互の機械的作用であって、これら２つの構成要素をボトムブラケット・アセンブリの軸のまわりで一体的に回転させ、クランクアームとアクスルとの間のトルク、すなわち力の伝達を可能にする機械的相互作用を意味する。一方で、同じ文脈において、「取り付け」とは、これら２つの構成部品をボトムブラケット・アセンブリの軸方向に一体に平行移動させ、クランクアームが滑り出て結合が絶たれてしまうのを防止する相互の機械的作用を意味する。
【０００３】
以下で、「アクスル部」と称する場合には、アクスルの全体、および場合によってはアクスルにおいてクランクアームの結合および固定が行われる部分のみの両者を意味する。そのような部分は、その後に他のアクスル部に本発明に包含されない技法および方式によって組み合わせられ、全体としてのアクスルの構造的完全性が回復される。
【０００４】
自転車の中央アクスルの端部とクランクアームとの間の結合は、典型的には、従来技術によれば、通常、上述の端部にも、自転車の２つのクランクアームをそれぞれ構成する細長い本体の端部に作られる適切なハウジング座にも形成された溝付きまたは多角形の輪郭によって達成される形状による結合である。さらに、固定ねじまたは他の類似の部材が、アクスルとクランクアームの取り付けを確実にして、クランクアームがアクスルから滑り出ることができないようにしている。
【０００５】
その性質ゆえ、形状による結合およびねじによる取り付けは、クランクアームとアクスルとの間に小さな相対変位を許容する或る程度の寸法上の不正確さを有している。
【０００６】
ボトムブラケット・アセンブリの全体としての重量を軽減するとともに、製造プロセスを簡単にするために、ねじを廃止して、押し込みによってクランクアームの滑りを防止することが提案されている。そのような手法の例が、特許文献１によって提示されており、そこでは、右側クランクアームが、溝による結合によってアクスルに結合されており、アクスルおよび右側クランクアームの結合外形は、滑りを防止する押し込み結合を形成する公差を有している（第３３および３４頁の段落３３および３４）。
【０００７】
本発明の発明者は、特許文献１によって提示されている形式の押し込み結合においては、クランクアームがアクスルから滑り出るために要する力が一定の値を有さず、きわめて幅広い範囲でばらつきうることを発見した。挿入工程において、クランクアームは、きわめて短い部位においてしか案内されず、アクスル部と平行でない方向に進んで、結合を想定よりも正確でない変形を引き起こす可能性がある。滑りの力のばらつきは、この現象の目に見える影響である。
【０００８】
本発明の発明者は、クランクアームとアクスルの材料同士の接触が、溝による結合の不正確さと組み合わさり、とくには結合の不正確さに由来する動作時の相対変位と組み合わ
さって、押し込み結合で、また取り付けねじによる従来の結合ではさらに、腐食現象が発生しやすい条件が生じることに気が付いた。
【先行技術文献】
【特許文献】
【０００９】
【特許文献１】国際公開第WO2005/058682号
【発明の概要】
【発明が解決しようとする課題】
【００１０】
本発明の主な課題は、クランクアームとアクスルとの結合領域が、形状による結合の製作精度にかかわらず腐食から保護されるクランクアーム・アセンブリを製作することにある。
【００１１】
また、本発明の発明者は、押し込み結合の場合、得られたクランクアーム・アセンブリが、所定の滑り力を保証できないということにより分解してしまう可能性があるということに気が付いた。
【００１２】
したがって、本発明の主な第２の課題は、より小さな総重量、簡単な組み立てプロセス、および分解に対する適切な耐久力を兼ね備えるクランクアーム・アセンブリを製作することにある。
【課題を解決するための手段】
【００１３】
したがって、最も一般的に言えば、本発明は、その第１の態様において、請求項１に記載の自転車用クランクアーム・アセンブリに関し、その第２の態様において、請求項１７に記載の組み立て方法に関する。好ましい特徴が、従属請求項に提示されている。
【００１４】
さらに具体的には、本発明の第１の態様によれば、少なくとも１つのアクスル部と、該少なくとも１つのアクスル部に取り付けられるクランクアームとを有しており、クランクアームが結合座を有するとともに、アクスル部が結合座に結合される結合部を有しており、結合座および結合部が、クランクアームからアクスル部へとトルクを伝達できるのを保証する形状による結合をなすように形作られている自転車のクランクアーム・アセンブリが、クランクアームとアクスル部との間に接着材料が塗布されることを特徴とする。
【００１５】
接着材料は、好ましくは、結合領域の封止およびクランクアームとアクスル部との間の相対変位の防止という二重の効果を有している。これら効果の両方が、形状による結合の精度または採用される取り付けシステムの種類にかかわらず、腐食現象が始まる可能性を、無くすことはできないかもしれないが低減するうえで役に立つ。
【００１６】
好ましくは、結合座は、軸方向にアクスル部を支持するための肩部を有しており、場合によっては、肩部が、軸方向で結合座を完全に閉じている。このような肩部は、クランクアームに対するアクスル部の軸方向の正確な位置決めを保証している。
【００１７】
好ましくは、接着材料が、結合座と結合部との間に設けられて、さらに好ましくは、それが結合部を結合座に完全に封じている。このようにして、結合手段に対する塵埃や湿気などの外部因子からの完全に保護されることが保証され、クランクアームの材料とアクスル部の材料との間の接触領域において、腐食現象の発生が抑止される。
【００１８】
好ましくは、クランクアーム・アセンブリは、結合座および結合部の少なくとも一方に形成された接着室を有しており、接着材料が接着室に設けられている。所定の量の接着材料を挿入できる特定の接着室があることによって、最も内側の結合領域へと進入しようとする外気要因に対抗する特定の障壁を、好ましい位置に配置することができる。またこれによって、接着条件、具体的には得られる接着力が、クランクアームが滑り出るのを防止するためにそれが重要となる実施の形態において、極めてうまく制御できるようになる。
【００１９】
さらに好ましくは、接着材料は、接着室にも、結合座と結合部との間の残りの空間の少
なくとも一部分にも存在している。このやり方で、汚染要因または湿気が、最も内側の結合領域に閉じ込められたままになることが防止される。
【００２０】
接着室は、さまざまな形状をとることができると同時に、ただ１つであっても、多数あってもよく、１つまたは複数の領域に集中していても、あるいはクランクアームとアクスル部との間で分配されていてもよい。接着室は、結合座に形成されたクランクアームの環状の溝、および／または結合部に形成されたアクスル部の環状の溝を含むことができる。さらに接着室は、結合部そのものの先細りの前方領域によって結合座と結合部との間に残される空き空間を含むことができる。そのような先細りの前方領域は、好ましくは、結合部の１／３以下の軸方向の広がりを有している。好ましくは、先細りの前方領域が、２〜５ｍｍに等しい軸方向の広がりを有している
【００２１】
好ましくは、環状の溝は、軸方向でボトムブラケット・アセンブリの中心に対して遠隔位置に配置される。有効接着度は実際この領域においてより大きく、それは自転車の使用時により大きな応力が加わり、したがって、対処がなされないならば取り付け壊れる局所的変形をより受けやすいからである。
【００２２】
接着材料は、さまざまな種類の接着材料であってよい。好ましくは、接着材料が硬化性樹脂であり、さらに好ましくは、エポキシまたはフェノール樹脂などの熱硬化性樹脂である。このやり方により、接着特性が未だ活性化されていないときの接着材料の分布、および最終的な接着力のいずれをもより容易に制御することができる。
【００２３】
好ましい実施の形態においては、クランクアーム・アセンブリは、結合手段がクランクアームおよびアクスル部に係合したままであることを保証するための固定手段を有しており、固定手段が接着材料を含んでいる。
【００２４】
このやり方で、形状による結合は、クランクアームとアクスル部とが一体に回転することを保証し、接着により、クランクアーム・アセンブリが分解しない必要な所定の最小限界力を確保する。このクランクアーム・アセンブリは、より小さな総重量、簡単な組み立てプロセス、および分解に対する適切な耐久力を兼ね備えている。さらには、アクスル部およびクランクアームは、特別な加工を必要とせず、組み立てプロセスが簡単であって費用対効果が高い。
【００２５】
さらに固定手段は、好ましくは、アクスル部の結合部のクランクアームの結合座内へ機械的に押し込む押込力を有している。機械的な押し込みと接着材料との組み合わせにより、最良の取り付け状態が達成可能であり、すなわちクランクアームをアクスル部から分解するために必要な力を、極めて確実に決定することができる。
【００２６】
本発明の第２の態様によれば、より具体的にはクランクアームを自転車の変速機のボトムブラケット・アセンブリのアクスル部へと組み付けるための方法は、クランクアームからアクスル部へとトルクを伝達できることを保証するため、クランクアームとアクスル部との形状による結合を含み、またこの方法はクランクアームとアクスル部との間に接着材料が塗布されることを特徴とする。
【００２７】
好ましくは、接着材料は、クランクアームとアクスル部の一方に、それらが係合される前に塗布され、その後にクランクアームおよびアクスル部が軸方向に押し合わされる。このやり方で、両者間の接着材料の良好な分布を、簡単なやり方で得ることができる。
【００２８】
本発明のさらなる特徴および利点が、添付の図面を参照して行う本発明のいくつかの好ましい実施の形態についての以下の詳細な説明から、さらに明らかになるであろう。
【図面の簡単な説明】
【００２９】
【図１】本発明のクランクアーム・アセンブリが組み込まれている自転車の変速機のボトムブラケット・アセンブリの軸方向の断面図である。
【図２】図１の左側クランクアーム・アセンブリの軸方向の断面図である。
【図３】図２のアセンブリの斜視図であり、部品が分離されて示されている。
【図４】図２の軸方向の断面図であり、部品が分離されて示されている。
【図５】図２のクランクアーム・アセンブリの詳細の軸方向の拡大断面図である。
【図６】図５に類似した断面図であるが、別の実施の形態を説明している。
【図７】図５に類似した断面図であるが、別の実施の形態を説明している。
【図８】図１のアセンブリの詳細の線ＶＩＩＩ‐ＶＩＩＩに沿った横断面図である。
【図９】図８に類似した断面図であるが、別の実施の形態を説明している。
【図１０】図５に類似した断面図であるが、別の実施の形態を説明している。
【発明を実施するための形態】
【００３０】
図面においては、自転車の変速機のボトムブラケット・アセンブリが、全体として符号１０で示されており、ボトムブラケット・アセンブリ１０を支持する自転車のフレームボックス１１のみが描かれている。
【００３１】
とくに図１を参照すると、ボトムブラケット・アセンブリ１０は、左側および右側の２つのクランクアーム・アセンブリ２０および４０を有しており、それぞれが、クランクアーム２１および４１ならびにアクスル部２２および４２をそれぞれ有している。２つのアクスル部２２および４２は、互いに実質的に同一であり、全体として符号１２で示されているアクスル・アセンブリを使用時に形成するよう、前面の歯１３と固定ナット１４による結合によって一体に回転するが、前面の歯１３と固定ナット１４は、他に関係なく従来型のものであるため概略的にしか示されていない。他の実施の形態（図示されていない）においては、２つの異なるアクスル部を設けてもよく、さらに２つのアクスル部の一方を省略し、他方がアクスル全体を備えるようにもできることに留意されたい。
【００３２】
右側クランクアーム・アセンブリ４０は、広く受け入れられている慣習にしたがって、ここで示されていないクラウンと係合するように意図されたスポーク４７を有している点で、左側クランクアーム・アセンブリ２０と相違している。以下では、左側クランクアーム・アセンブリ２０について説明するが、言うまでもなく、説明の内容は右側クランクアーム・アセンブリ４０についても有効である。
【００３３】
アクスル１２は、フレームボックス１１で、ボトムブラケット・アセンブリ１０の主軸Ｘのまわりで、例えば転がり軸受１５によって回転可能に支持されているが、転がり軸受１５は、フレームボックス１１から軸方向に突き出して固定されたアダプタ支持具１６に取り付けられている。
【００３４】
左側クランクアーム・アセンブリ２０において、クランクアーム２１とアクスル部２２は、（図３に示されているように）クランクアーム２１からアクスル部２２へとトルクを伝達することができるようにする結合手段、ならびにその結合手段の分離を防止するための固定手段によって、互いに係合している。
【００３５】
結合手段は、クランクアーム２１に形成された結合座２３、およびアクスル部２２に形成された結合部２４を有しており、結合座２３および結合部２４が、例えば溝付きの輪郭による形状による結合をなすように形作られている。そのような溝付きの輪郭は、図８に詳しく示されているように、例えば好ましくは、本件出願と同じ出願人の欧州特許出願第05425376号に記載されている種類の輪郭であり、結合座２３の輪郭２５と、それに一致するアクスル部２４の輪郭２６とが、連続した一致する波形に沿った形状を有している。図９に示されている別の実施の形態においては、同様の溝付きの輪郭が設けられているが、結合座２３の溝付きの輪郭２５’およびアクスル部２４の溝付きの輪郭２６’は、結合座２３およびアクスル部２４の両方で波形の頂点が水平にされ、２つの輪郭２５’と２６’の間に空白の空間３３’が残されている点で、輪郭２５および２６と相違している。
【００３６】
一致する輪郭２５と２６（または２５’と２６’）の公差は、クランクアーム２１とアクスル部２２との間に押し込み結合を形成するようにされている。
【００３７】
図３および図５〜７から分かるように、結合座２３は、クランクアーム２１の本体において軸心Ｘに沿って軸心方向に延びており、ボトムブラケット・アセンブリ１０の中心線Ｋと反対の方向を向いている端部に、肩部２８を有している。肩部２８は、軸心Ｘに向かって半径方向に単純に張り出すことができ、あるいは、（図示されていない他の実施の形
態においては）同じ軸心Ｘまで延びて結合座２３を完全に閉じてもよい。結合部２４は、母線が軸心Ｘに実質的に平行である本体部２７と、溝付きの輪郭の頂点と溝の両方に先細りの前方領域２９とを有している。前方領域２９は、挿入案内部の機能を有しており、軸心Ｘの方向に長さＬ（図４に示されている）にわたって延び、クランクアーム２１の結合座２３とアクスル部２２の結合部２４との間に空き空間３０を残している。長さＬは、好ましくは、結合部２４の全体の軸方向の広がりＡの１／３以下であり、さらに好ましくは、広がりＡの１／６〜１／３の間、すなわち絶対値では、２〜５ｍｍである。
【００３８】
さらに、クランク・アセンブリ２０は、図５から分かるように、結合座２３において肩部２８に隣接した位置に形成された環状の溝３１を有している。図６および７のそれぞれの実施の形態においては、溝３１’が溝３１に対向して結合部２４に形成され、２つのさらなる溝３１’’が肩部２８および溝３１から軸方向に離間して結合座２３に形成されている。
【００３９】
クランクアーム・アセンブリ２０の組み立てにおいて、とりわけ図３および４を参照すると、最初にクランクアーム２０の環状の溝３１が、図面に符号５０で総称的に示されている接着材料で満たされる。接着材料５０は、硬化性樹脂であって、好ましくは熱硬化性であり、例えばエポキシ樹脂およびフェノール樹脂から選択されるが、前者が好ましい。第１の好ましい実施の形態によれば、塗布される接着材料５０の量は、溝３１の容量に正確に対応して、溝３１内に１つの封止帯しか形成されないようになる。
【００４０】
第２の好ましい実施の形態によれば、接着材料５０は、溝３１の容量を超える量で溝３１内に配置される。
【００４１】
次いで、アクスル部２２の前部案内領域２９が、クランクアーム２１の結合座２３へと挿入され、適切な挿入力を軸方向に加えつつ、アクスル部２２がクランクアーム２１を貫くように押し込まれる。
【００４２】
アクスル部２２の前部案内領域２９が、クランクアーム２１の結合座２３で肩部２８に当接するまで前進するようにされる。この工程において、接着材料５０は、余分に配置されている場合には環状の溝３１から押し出され、機械的な押し込みによって、溝付きの輪郭２５と溝付きの輪郭２６との間に進入する。
【００４３】
この時点において、クランクアーム・アセンブリ２０は、接着剤５０の硬化を生じさせるような条件へと取り入れられる。とくに、接着剤５０が熱硬化性である場合には、クランクアーム・アセンブリ２０は、接着材料そのものの硬化温度とされ、完全に固まるまでそのような温度に保たれる。典型的な温度値は、１２０°〜１８０°であり、１０〜６０分の間の時間にわたる。
【００４４】
前記のやり方において、接着剤５０は溝３１（さらには、おそらくは３１’、３１’’）とともに、クランクアーム２１のアクスル部２２への固定手段の構成に寄与している。
【００４５】
このように、クランクアーム２１とアクスル部２２との間において、接着室が環状の溝３１および空き空間３０から形成され、図６および７の実施の形態においては、溝３１’および３１’’がそれぞれ加えられる。環状の溝３１および空き空間３０（長さＬ）の寸法を適切に調節することによって、クランクアーム２１について典型的には３０〜４０ｋＮである所望の引き抜き力を得ることができる接着領域を得ることが可能である。
【００４６】
好ましくは、クランクアーム２０およびアクスル部２２の固定手段が、接着材料５０に加えて押し込み結合を含んでいることに注意すべきである。
【００４７】
また、いくつかのクランクアーム・アセンブリ２０においては、加工の欠陥またはアクスル部２２の不正確な挿入による膨れ上がりに起因して、溝付き輪郭２５と溝付き輪郭２６との間にすき間５１（図５においては、意図的にかなり拡大されて示されている）が生じる可能性があることに、注意すべきである。このようなアセンブリにおいて、すき間の寸法が小さく、かつ硬化前の接着材料が流動性を有しているため、毛管現象によるすき間５１への進入が促され、一端から他端までであっても結合領域の全体を濡らして、腐食に対する保護およびクランクアームの取り付け作用を最大化することができる。
【００４８】
図６に示した実施の形態において、溝３１’が半径方向に突き出した縁３２’を形成しており、縁３２’が接着材料の硬化後に溝３１および３１’に存在する接着材料５０に囲まれたままとなることに、注意すべきである。このやり方で、接着剤の効果に加え、クランクアーム２１の機械的な保持の効果がもたらされる。
【００４９】
追加の溝３１’および３１’’は、好ましくは環状である。
【００５０】
さらに、図７の実施の形態において、溝３１’’を結合部２４と結合座２３のどちらに製作してもよく、さらにはこれら部材の両方に製作してもよいことに注意すべきである。
【００５１】
追加の溝３１’’は、１つであっても、図７に示されているように２つ以上であってもよい。図１０の実施の形態は、結合座２３の特定の追加の溝３１’’’を示しており、それは結合座２３の溝付きの輪郭２５の溝よりも深い。好ましくは、追加の溝３１’’’は、クランクアーム２１において自転車のフレームボックス１１に面する側壁６０よりも、肩部２８により接近して位置している。距離Ｔの好ましい範囲は、１〜１５ｍｍである。図１０において、溝３１’は任意に設けることができる。
【００５２】
追加の溝３１’’’は、結合座２３の溝付きの輪郭２５を得るための機械加工作業の際に、切削屑脱離部として好都合に機能する。好ましい機械加工作業は、工具（図示されていない）を側壁６０の方から挿入して、溝３１に達するまで移動させることによる結合座２３のブローチ加工で構成される。結合座２３が肩部２８によって閉じられているため、工具の行程が行き止まりとなっているが、追加の溝３１’’’が、切削屑が溝３１の内側でクランクアームに付着したまま残ることがないようにしている。これは、結合座が完全に行き止まりである場合にも有用である。
【００５３】
さらに、クランクアーム２１および４１が、アルミニウムまたはチタニウム合金などといった金属材料から作られ、アクスル部２２が、鋼または軽金属合金から作られることに、注意すべきである。
【図１】
0005726933.tif 000002
【図２】
0005726933.tif 000003
【図３】
0005726933.tif 000004
【図４】
0005726933.tif 000005
【図５】
0005726933.tif 000006
【図６】
0005726933.tif 000007
【図７】
0005726933.tif 000008
【図８】
0005726933.tif 000009
【図９】
0005726933.tif 000010
【図１０】
0005726933.tif 000011